(57)【特許請求の範囲】
【請求項１】
振動センサーと、この振動センサーが検知した回数をカウントするＣＰＵと、このＣＰＵがカウントしたカウント数を表示する表示部と、前記ＣＰＵを作動させる電池とを有する歩数計において、前記振動センサーは、リング状の導電性の接点部材と、外周に接点部を有した導電性の回転重りとを備え、前記回転重りは、自重で前記接点部が下方に向くように回転自在で、接点部が下方に向いた状態で上下動可能に前記接点部材の中心部に配設され、かつ接点部が下方に向いた状態で上下方向に付勢されており、歩数計の上下振動によって回転重りが上下動し、回転重りの接点部が接点部材に接触し、この接触回数を前記ＣＰＵでカウントすることを特徴とする歩数計。
【請求項２】
前記接点部材は、円状の凹部が形成された基板の前記凹部の内周に固定され、前記接点部材の中心部の基板部分に導電性の支軸パイプが固定され、この支軸パイプに導電性の回転ガイドリングが回転自在に装着され、前記回転重りは、前記回転ガイドリングと共に回転可能でかつ回転ガイドリングに対して摺動自在に装着され、前記回転ガイドリングに設けられたばねで付勢されていることを特徴とする請求項１記載の歩数計。
【請求項３】
前記振動センサー、前記ＣＰＵ、前記表示部の表示装置及び前記電池は、平面的に配置されていることを特徴とする請求項１又は２記載の歩数計。
【請求項４】
前記歩数計は、カード型で厚さが２ｍｍ〜５ｍｍよりなることを特徴とする請求項１、２又は３記載の歩数計。
【発明の詳細な説明】
【０００１】
【発明の属する技術分野】
本発明は、ケースの姿勢に係わらず歩数を計数することができる歩数計に関する。
【０００２】
【従来の技術】
ケースの姿勢に係わらず歩数を計数することができる歩数計として、例えば特開２００１−２２７９８０号公報（以下、公知例１という）及び特開２００１−２５５１６９号公報（以下、公知例２という）に示すものが提案されている。公知例１は、振動センサー（歩数計モジュール）自体をケースに回転可能に軸支し、振動センサーはケースが回転してもその位置が常に水平に保たれるようになっている。公知例２は、ケースに回転板を回転可能に軸支し、更に振動センサー（歩数検出センサー）を回転板に回転可能に軸支するように構成し、回転板と振動センサーは、ケースの向きが変わっても、常に重力により一定方向に位置するように構成している。
【０００３】
【発明が解決しようとする課題】
公知例１は、振動センサー自体をケースに回転可能に軸支しているので、厚さが厚くなる。また振動センサー自体が３６０度回転するので、大型化する。公知例２は、回転板と振動センサーを厚さ方向に積み重ね、更に回転板を回転可能に軸支している軸をアームに回転可能に軸支し、このアームをケースに固定した構成よりなるので、公知例１と同様に厚さが厚くなって大型化する。
【０００４】
本発明の第１の課題は、どのような姿勢であっても使用することができると共に、振動センサー部分の薄型化及び小型化が図れる歩数計を提供することにある。
【０００５】
本発明の第２の課題は、歩数計自体の薄型化及び小型化が図れる歩数計を提供することにある。
【０００６】
【課題を解決するための手段】
上記第１の課題を解決するための本発明の請求項１は、振動センサーと、この振動センサーが検知した回数をカウントするＣＰＵと、このＣＰＵがカウントしたカウント数を表示する表示部を有する歩数計において、前記振動センサーは、リング状の導電性の接点部材と、外周に接点部を有した導電性の回転重りとを備え、前記回転重りは、自重で前記接点部が下方に向くように回転自在で、接点部が下方に向いた状態で上下動可能に前記接点部材の中心部に配設され、かつ接点部が下方に向いた状態で上下方向に付勢されており、歩数計の上下振動によって回転重りが上下動し、回転重りの接点部が接点部材に接触し、この接触回数を前記ＣＰＵでカウントすることを特徴とする。
【０００７】
上記第１の課題を解決するための本発明の請求項２は、上記請求項１において、前記接点部材は、円状の凹部が形成された基板の前記凹部の内周に固定され、前記接点部材の中心部の基板部分に導電性の支軸パイプが固定され、この支軸パイプに導電性の回転ガイドリングが回転自在に装着され、前記回転重りは、前記回転ガイドリングと共に回転可能でかつ回転ガイドリングに対して摺動自在に装着され、前記回転ガイドリングに設けられたばねで付勢されていることを特徴とする。
【０００８】
上記第１及び第２の課題を解決するための本発明の請求項３は、上記請求項１又は２において、前記振動センサー、前記ＣＰＵ、前記表示部の表示装置及び前記電池は、平面的に配置されていることを特徴とする。
【０００９】
上記第１及び第２の課題を解決するための本発明の請求項４は、上記請求項１、２又は３において、前記歩数計は、カード型で厚さが２ｍｍ〜５ｍｍよりなることを特徴とする。
【００１０】
【発明の実施の形態】
本発明の一実施の形態を図１乃至図３により説明する。図１に示すように、歩数計１は、厚さ２ｍｍ〜５ｍｍのカード型をしており、ＬＣＤ等よりなる表示部２と、演算制御回路であるＣＰＵ３と、電池４と、後記する振動センサー１０と、スイッチとしてオンオフ用スイッチＳ１とリセット用スイッチＳ２とを備えている。また振動センサー１０、ＣＰＵ３、表示部２の表示装置及び電池４は、平面的に配置されている。
【００１１】
振動センサー１０は、図３に示すような構造となっている。プラスチックよりなる基板１１には、上面に円状の凹部１１ａが形成されており、凹部１１ａの内周には導電性のリング状の接点部材１２が固定されている。基板１１には、接点部材１２の中心部に軸部１３ａとつば部１３ｂを有した導電性の支軸パイプ１３が圧入されており、支軸パイプ１３の軸部１３ａには、ガイドリング部１４ａとばね装着用棒部１４ｂを有した導電性の回転ガイドリング１４が回転自在に装着されている。回転ガイドリング１４のガイドリング部１４ａには、後記する導電性の回転重り１５が回転及び摺動自在に装着されている。支軸パイプ１３には、回転ガイドリング１４及び回転重り１５が支軸パイプ１３に回転自在に保持するように、プラスチックよりなる抜け止め部材１６が圧入されている。
【００１２】
回転重り１５は、回転ガイドリング１４のガイドリング部１４ａに回転自在に装着される長穴１５ａが形成されている。長穴１５ａの長手方向の一方部（図３（ａ）において右側）には、回転ガイドリング１４のばね装着用棒部１４ｂが配設される開口部１５ｂが形成されている。開口部１５ｂの一端は、長穴１５ａの伸びた方向とほぼ平行に伸びかつばね装着用棒部１４ｂの端部が摺動自在に挿入されるばね受け部１５ｃが形成されている。ばね装着用棒部１４ｂには、回転重り１５を上方（図３（ａ）において右側）に引き上げるように付勢するばね１７が装着されている。回転重り１５のばね受け部１５ｃと反対側（図３（ａ）において左側）は、長穴１５ａの右側より重い重量の重り部１５ｄとなっており、重り部１５ｄの端部には接点部１５ｅが形成されている。
【００１３】
そこで、歩数計１、即ち振動センサー１０を縦（垂直）にした状態においては、回転重り１５は重り部１５ｄの自重により回転ガイドリング１４と共に支軸パイプ１３を中心として必ず重力方向（下方方向）に回転し、接点部１５ｅは下方に位置し、長穴１５ａの長手方向は上下方向となる。即ち、接点部１５ｅは、基板１１を縦にした状態の姿勢、言い換えれば歩数計１を縦にした状態の姿勢に関係なく常に下方に向くように回転する。さらに詳しく述べると、接点部１５ｅは、基板１１の側面１１ａ、歩数計１の側面１ａを下方にすると該側面１１ａ、１ａの方向に向き、側面１１ｂ、１ｂを下方にすると該側面１１ｂ、１ｂの方向に向き、側面１１ｃ、１ｃを下方にすると該側面１１ｃ、１ｃの方向に向き、側面１１ｄ、１ｄを下方にすると該側面１１ｄ、１ｄの方向に向く。また例えば基板１１の角部１１ｅ、歩数計１の角部１ｅを下方にすると角部１１ｅ、１ｅの方向に向く。
【００１４】
ばね１７は、回転重り１５の重量より僅かに大きな付勢力を有し、回転重り１５を上方に引き上げるようになっており、ばね１７の付勢力で回転重り１５が上方に引き上げられた状態では、接点部１５ｅは接点部材１２に接触しないようになっている。基板１１、即ち歩数計１に振動が加えられ、ばね１７の付勢力に抗して回転重り１５が回転ガイドリング１４のガイドリング部１４ａに沿って相対的に下方に摺動すると、接点部１５ｅが接点部材１２に接触するように長穴１５ａの長手方向の長さは形成されている。
【００１５】
接点部材１２及び支軸パイプ１３に配線２０、２１の一端が接続されており、配線２０、２１の他端は図２に示すようにＣＰＵ３に接続されている。前記したように、支軸パイプ１３、回転ガイドリング１４及び回転重り１５は導電性材料よりなるので、回転重り１５の接点部１５ｅが接点部材１２に接触すると配線２０、２１は導通する。接点部１５ｅと接点部材１２が接触する毎にＣＰＵ３はカウントし、そのカウント数は表示部２に表示される。
【００１６】
次に作用について説明する。歩数計１を縦にした状態でオンオフ用スイッチＳ１をオンにしてポケット、バッグ等に入れ、またはズボンのバンドに装着して歩行する。この状態では、回転重り１５は前記したように回転重り１５の接点部１５ｅが下方に位置し、開口部１５ｂの長手方向が上下方向となっている。歩行によって歩数計１、即ち基板１１に振動が加わると、回転重り１５は、ばね１７の付勢力に抗して基板１１に対して相対的に上下動する。回転重り１５が基板１１に対して相対的に下降すると、回転重り１５の接点部１５ｅが接点部材１２に接触し、回転重り１５が基板１１に対して相対的に上昇すると、回転重り１５の接点部１５ｅが接点部材１２より離れる。接点部１５ｅが接点部材１２に接触する毎にＣＰＵ３はカウントし、そのカウント数は表示部２に表示される。
【００１７】
なお、上記実施の形態においては、振動センサー１０の基板１１は、歩数計１のケースと別部材で形成したが、歩数計１のケース自体であってもよい。
【００１８】
このように、振動センサー１０は、リング状の導電性の接点部材１２と、外周に接点部１５ｅを有した導電性の回転重り１５とを備え、前記回転重り１５は、自重で前記接点部１５ｅが下方に向くように回転自在で、接点部１５ｅが下方に向いた状態で上下動可能に前記接点部材１２の中心部に配設され、かつ接点部１５ｅが下方に向いた状態で上下方向に付勢されており、歩数計１の上下振動によって回転重り１５が上下動し、回転重り１５の接点部１５ｅが接点部材１２に接触し、この接触回数を前記ＣＰＵ３でカウントする構成よりなる。即ち、回転重り１５は回転ガイドリング１４を中心として回転可能であり、かつ回転ガイドリング１４に対して上下動可能に設けられ、回転重り１５の外周にリング状の接点部材１２を設けた構成よりなるので、回転重り１５は３６０度回転可能であり、歩数計１がどのような姿勢であっても使用することができると共に、振動センサー１０部分の薄型化及び小型化が図れる。
【００１９】
また振動センサー１０、ＣＰＵ３、表示部２の表示装置及び電池４は、平面的に配置されているので、歩数計１自体の薄型化及び小型化が図れる。更にカード型で厚さが２ｍｍ〜５ｍｍの超薄型よりなるので、この点からも歩数計１自体の薄型化及び小型化が図れる。
【００２０】
【発明の効果】
本発明の請求項１又は２によれば、どのような姿勢であっても使用することができると共に、振動センサー部分の薄型化及び小型化が図れる。本発明の請求項３によれば、超薄型にできる。本発明の請求項３又は４によれば、歩数計自体の薄型化及び小型化が図れる。
【図面の簡単な説明】
【図１】本発明の歩数計の一実施の形態を示し、（ａ）は平面説明図、（ｂ）は側面図である。
【図２】回路ブロック図である。
【図３】振動センサーを示し、（ａ）は拡大平面図、（ｂ）は拡大断面図である。
【符号の説明】
１    歩数計
２    表示部
３    ＣＰＵ
１０    振動センサー
１１    基板
１１ａ    凹部
１２    接点部材
１３    支軸パイプ
１４    回転ガイドリング
１５    回転重り
１５ａ    長穴
１５ｄ    重り部
１５ｅ    接点部
１７    ばね
【図１】
0003840419.tif 000002
【図２】
0003840419.tif 000003
【図３】
0003840419.tif 000004